(57)【要約】      （修正有）【課題】起き上がりこぼし台座を採用し、固定ロッドをずっと垂直状態を維持し、倒れることを防止できると同時に、照明の需要に応じてランプホルダーの高さを調整でき、使用に満足する多機能のLEDフロアスタンドを提供する。【解決手段】起き上がりこぼし台座１を含み、その起き上がりこぼし台座のトップ部にカバー２を設置してあり、そのカバーの枢軸位置には挿入部３があり、その挿入部に固定ロッド４を合わせてあり、その挿入部とその固定ロッドの間第一ボルト３０１があり、その固定ロッドの中に可動ロッド５が設置してあり、その固定ロッドのトップに近い位置に可動ロッドを固定用の第二ボルト４０１を設置してあり、その可動ロッドのトップ部にはランプソケット６を設置してあり、そのランプソケット内にはランプホルダー７があり、その可動ロッドのトップ部の外輪位置に三つ以上のフィン８が設けられ、この三つ以上のフィンの間にシェード９を設けてある。【選択図】図１
0003206169.tif 000002
【実用新案登録請求の範囲】
【請求項１】
LED フロアスタンドにおいて、
起き上がりこぼし台座を含み、その起き上がりこぼし台座のトップ部にカバーを設置してあり、そのカバーの枢軸位置には挿入部があり、その挿入部に固定ロッドを合わせてあり、その挿入部とその固定ロッドの間に第一ボルトがあり、その固定ロッドの中に可動ロッドが設置してあり、その固定ロッドのトップに近い位置に固定用の第二ボルトを設置してあり、その可動ロッドのトップ部にはランプソケットを設置してあり、そのランプソケット内にはランプホルダーがあり、その可動ロッドのトップ部の外輪位置に三つ以上のフィンが設けられ、この三つ以上のフィンの間にシェードを設けてあり、その固定ロッドの上には可動スリーブが設けてあり、その可動スリーブの外輪には音楽プレーヤーが設けてあり、その音楽プレーヤーはその固定ロッドの外周表面を回るように設けられ、その可動スリーブの外輪にその固定ロッドの第三ボルトをセットしてあり、その起き上がりこぼし台座の内部にバッテリが設置してあり、そのバッテリとそのランプソケットを通電して繋げ、そのバッテリと起き上がりこぼし台座とを固定して繋ぐ
ことを特徴とするLED フロアスタンド。
【考案の詳細な説明】
【技術分野】
【０００１】
本実用新型は一種の多機能LED フロアスタンドに関連する。
【背景技術】
【０００２】
フロアスタンドはよく見られる家庭用照明施設であり、使用に応じて位置を変えることができ、照明のニーズを満たすことができる。しかし、既存の技術ではフロアスタンドの置き状態は安定度がよくない、子供のいる家族の場合、子供が不注意で触れたら、フロアスタンドが倒れて、壊されるかもしれない。
【０００３】
以上の問題に基づいて、一種の倒れ防止に有効なフロアスタンドを提供することが必要である。
【考案の概要】
【考案が解決しようとする課題】
【０００４】
本実用新型が解決する必要な問題は一種の多機能のLED フロアスタンドを提供すること、本措置は起き上がりこぼし台座を利用し、固定ロッドをずっと固定ロッドをずっと垂直状態を維持し、倒れることを防止できると同時に、本措置は照明の需要に応じてランプホルダーの高さを調整でき、音楽プレーヤーを取り付けることを通して、異なるグループのニーズを満足できる。
【課題を解決するための手段】
【０００５】
以上の問題を解決するために、本実用新型は以下の技術案を採用する：
【０００６】
一種の多機能のLED フロアスタンド、起き上がりこぼし台座を含め、その起き上がりこぼし台座のトップ部にカバーを設置してあり、そのカバーの枢軸位置には挿入部があり、その挿入部に固定ロッドを合わせてあり、その挿入部とその固定ロッドの間第一ボルトがあり、その固定ロッドの中に可動ロッドが設置してあり、その固定ロッドのトップに近い位置に可動ロッドを固定用の第二ボルトを設置してあり、その可動ロッドのトップ部にはランプソケットを設置してあり、そのランプソケット内にはランプホルダーがあり、その可動ロッドのトップ部の外輪位置に三つ以上のフィンが設けられ、この三つ以上のフィンの間にシェードを設けてあり、その固定ロッドの上には可動スリーブが設けてあり、その可動スリーブの外輪には音楽プレーヤーが設けてあり、その音楽プレーヤーはその固定ロッドの外周表面をまわって設けされ、その可動スリーブの外輪にその固定ロッドの第三ボルトをセットしてあり、その起き上がりこぼし台座の内部にバッテリが設置してあり、そのバッテリとそのランプソケット通電で繋がる、そのバッテリと起き上がりこぼし台座と固定繋ぐ
【０００７】
優秀な技術案として、そのランプホルダーはLEDホルダーである。
【考案の効果】
【０００８】
本実用新型の有益な効果は：本措置は起き上がりこぼし台座を利用し、固定ロッドをずっと固定ロッドをずっと垂直状態を維持し、倒れることを防止できると同時に、本措置は照明の需要に応じてランプホルダーの高さを調整でき、音楽プレーヤーを取り付けることを通して、異なるグループのニーズを満足できる。本措置の構造が簡単で、コストが低い、普及させることが相応しい。
【図面の簡単な説明】
【０００９】
【図１】本実用新型の構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１に示された多機能LED フロアスタンドを参考してください、起き上がりこぼし台座１を含め、その起き上がりこぼし台座１のトップ部にカバー２を設置してあり、そのカバーと起き上がりこぼし台座の間はネジで繋げ、そのカバー２の枢軸位置には挿入部３があり、その挿入部３に固定ロッド４を合わせてあり、その挿入部３とその固定ロッド４の間第一ボルト301があり、その固定ロッド４の中に可動ロッド5が設置してあり、その固定ロッド4のトップに近い位置に可動ロッド5を固定用の第二ボルト401を設置してあり、その可動ロッド5のトップ部にはランプソケット6を設置してあり、そのランプソケット6内にはランプホルダー7があり、その可動ロッド5のトップ部の外輪位置に三つ以上のフィン８が設けられ、この三つ以上のフィン8の間にシェード９を設けてあり、その固定ロッド４の上には可動スリーブ10が設けてあり、その可動スリーブ10の外輪には音楽プレーヤー11が設けてあり、その音楽プレーヤー11はその固定ロッド４の外周表面をまわって設けされ、その可動スリーブ10の外輪にその固定ロッド４の第三ボルト１２をセットしてあり、その起き上がりこぼし台座1の内部にバッテリ101が設置してあり、そのバッテリ101とそのランプソケット6通電で繋がる、そのバッテリ101と起き上がりこぼし台座1と固定繋ぐ
【００１２】
本実用新型の中一つの好ましい実施例として、そのランプホルダー7はLEDホルダーである。
【００１３】
本実用新型の有益な効果は：本措置は起き上がりこぼし台座を利用し、固定ロッドをずっと固定ロッドをずっと垂直状態を維持し、倒れることを防止できると同時に、本措置は照明の需要に応じてランプホルダーの高さを調整でき、音楽プレーヤーを取り付けることを通して、異なるグループのニーズを満足できる。本措置の構造が簡単で、コストが低い、普及させることが相応しい。
【００１４】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206169.tif 000003